(57)【要約】【課題】幼稚園、保育園、小学校、老後施設等の室内や廊下等のコーナー部に容易に取り付けることができ、しかも幼児、学童、老人等の頭部や身体を万全に保護することができるコーナーガード材ユニットを提供する。【解決手段】コーナー部に固定したカバー本体と該カバー本体に取り付けた化粧カバーとからなり、カバー本体は二辺間を湾曲形状に形成した長尺部材から構成され、二辺の各表側面に形成された溝部の各外側辺には鋭角溝部が形成され、化粧カバーは弾性材料からなる長尺の面形状に形成され、該化粧カバーの両側辺に沿って内面側に突出すると共に外側辺に沿って鋭角突部が形成され、該化粧カバーの両側の各係止突部をカバー本体の両側の溝部に嵌合した際、化粧カバーの反発力によって該化粧カバーの両側の各鋭角突部がカバー本体の両側の各鋭角溝部に係止されるようにした。【選択図】図３
2013217183.tif 000002
【特許請求の範囲】
【請求項１】
建物のコーナー部に固定したカバー本体と該カバー本体に取り付けた化粧カバーとからなるコーナーガード材ユニットにおいて、
カバー本体はコーナー部の下地に取付ける断面Ｌ字形の二辺間を湾曲形状に形成した長尺部材から構成され、
該カバー本体の二辺の各表側面に長尺方向に沿って形成された溝部の各外側辺には鋭角状に凹んだ鋭角溝部が形成され、
化粧カバーは湾曲可能な弾性材料からなる長尺の面形状に形成され、該化粧カバーの両側辺に沿って内面側に突出した突出部を形成すると共に該突出部の外側辺に沿って鋭角状に突出した鋭角突部が形成され、
該化粧カバーの両側の各係止突部をカバー本体の両側の溝部に嵌合した際、化粧カバーの反発力によって該化粧カバーの両側の各鋭角突部がカバー本体の両側の各鋭角溝部に係止されることを特徴とするコーナーガード材ユニット。
【請求項２】
カバー本体の両側部の内側に長尺方向に沿う段差を設け、該段差に壁材の端部を嵌め込むようにしたことを特徴とする請求項１記載のコーナーガード材ユニット。
【請求項３】
カバー本体の二辺間の角部に形成された湾曲形状の表面に凹面を形成し、該凹面と化粧カバーの内側面との間に空間を形成したことを特徴とする請求項１又は２記載のコーナーガード材ユニット。
【請求項４】
カバー本体の二辺間の角部に形成された湾曲形状の表面に凹面を形成すると共に、化粧カバーの内側面にも凹面を形成することにより、該凹面と化粧カバーの内側面との間に二段状の空間を形成したことを特徴とする請求項１又は２記載のコーナーガード材ユニット。
【請求項５】
カバー本体の両端部に設けた壁材の表面にクロス材を張り付けると共に、該クロス材の端部をカバー本体の溝部に埋め込んだ状態で該溝部に化粧カバーの突出部を嵌合するようにしたことを特徴とする請求項１、２、３又は４記載のコーナーガード材ユニット。
【請求項６】
建物のコーナー部に固定したカバー本体と該カバー本体に取り付けた化粧カバーとからなるコーナーガード材ユニットにおいて、
カバー本体は、コーナー部の下地の角部に取付ける断面Ｌ字形の二辺の両端部に断面コ字形の嵌合凹部が形成されてなり、
化粧カバーは、弾性を有する湾曲状のカバー面がカバー本体の二辺を空間をあけて覆うように形成されると共に、該化粧カバーの両端部が外側へ断面Ｌ字形に屈曲されることによって形成された屈曲端部がカバー本体の嵌合凹部に嵌合されてなることを特徴とするコーナーガード材ユニット。
【請求項７】
カバー本体の断面Ｌ字形の二辺の中心の角部が弾性復帰可能な軟質材料から形成される一方、カバー本体のその他の部分が硬質材料から形成されていることを特徴とする請求項６記載のコーナーガイド材ユニット。
【請求項８】
化粧カバーは、断面Ｌ字形の屈曲端部が硬質材料から形成される一方、化粧カバーの湾曲状のカバー面が弾性復帰可能な軟質材料から形成されていることを特徴とする請求項６記載のコーナーガード材ユニット。
【請求項９】
カバー本体の二辺における各嵌合凹部の近傍には外方へ向けて突出した突出片が形成され、各突出片には各嵌合凹部の方向に沿って湾曲した円弧面が形成されたことにより、化粧カバーの両側の屈曲端部をカバー本体の嵌合凹部に挿入する際に該屈曲端部を突出片の円弧面に滑らせて挿入し、且つ化粧カバーの両側の屈曲端部をカバー本体の嵌合凹部に挿入した状態の動きを突出片で規制するようにしたことを特徴とする請求項６、７又は８記載のコーナーガード材ユニット。
【発明の詳細な説明】
【技術分野】
【０００１】
本発明は、幼稚園、保育園、小学校又は老後施設等の室内や廊下等のコーナー部に設けることによって、幼児、学童又は老人等の頭部や身体を保護するようにしたコーナーガード材ユニットに関する。
【背景技術】
【０００２】
従来から、例えば、幼稚園や保育園等の施設において、室内や廊下等のコーナー部にガード材を設けることにより、幼児等の頭部や身体を保護するようにしたコーナーガード材が開発されている。
【０００３】
ところで、このような従来のコーナーガード材は、硬質樹脂材を用いて角部を湾曲状に形成したものを室内や廊下等のコーナー部に固定したものであり、これによってコーナーガード材に衝突した物品や人等に対する衝撃を緩和するようにしている。
【０００４】
ところが、このような従来のコーナーガード材を幼稚園や保育園等の施設等に用いた場合、硬質樹脂材を露呈した状態では、強い衝撃に対して幼児等の頭部や身体を良好に保護することは不可能である。
【０００５】
そこで、コーナーガード材の従来技術として特許文献１を参照する。この文献に記載されているコーナーガードは、ドアの出入口に立設された柱や戸袋の上下方向の角部に沿って取付けられるものである。その構成は、柱等の角部に取付ける基板の両側部に係合凹部を突出状態に形成し、弾性カバーの内側に設けられた係合突起を基板の各係合凹部に押し込むことによって固定するものである。
【０００６】
また、上記のコーナーガードに設けられた弾性カバーの内側には、基板の角部に係止する突部を形成してあり、弾性カバーの中央部の形状を支持するようにしている。
【先行技術文献】
【特許文献】
【０００７】
【特許文献１】実開平６−３５４１８号公報
【発明の概要】
【発明が解決しようとする課題】
【０００８】
上記の特許文献１に示すコーナーガードは、弾性カバーの内側に設けられた係合突起を基板の各係合凹部に押し込むことによって固定するようにした構成であるため、取付け作業の際に、弾性カバーの係合突起や基板の各係合凹部は弾性カバーに覆われた状態にあって作業者が容易に見ることができない。従って、この弾性カバーの取付け作業を行うには、弾性カバーの両端から外方へ突出した表面部をめくり上げて各係合凹部を露出することにより、弾性カバーの内側の係合突起を差し入れるという面倒な作業を必要とするため、熟練した作業員でなければ、容易に取り付けることが不可能である。
【０００９】
また、弾性カバーの両端には係合突起から外方に表面部の端部が延長され、この表面部の端部は柱等の角部の表面に接触させているだけであるため、該表面部の端部が経時的に変形したり、めくれ上がることによって弾性カバーが外れ易くなる。
【００１０】
さらに、上記のような従来のコーナーガードは、柱等の角部の表面から基板の係合凹部が突出したものであるため、これに固定する弾性カバーもまた外側に突出したものとなり、その近傍を歩行する者等が弾性カバーに衝突し易く、弾性カバーも外れやすくなる。
【００１１】
本発明は、上記の事情を有する従来技術の欠点を解消すると共に、幼稚園、保育園、小学校又は老後施設等の室内や廊下等のコーナー部に容易に取り付けることができ、しかも幼児、学童又は老人等の頭部や身体を万全に保護することができるコーナーガード材ユニットを提供することを目的とする。
【課題を解決するための手段】
【００１２】
上記の目的を達成するために、本発明における請求項１のコーナーガード材ユニットは、建物のコーナー部に固定したカバー本体と該カバー本体に取り付けた化粧カバーとからなるコーナーガード材ユニットにおいて、カバー本体はコーナー部の下地に取付ける断面Ｌ字形の二辺間を湾曲形状に形成した長尺部材から構成され、該カバー本体の二辺の各表側面に長尺方向に沿って形成された溝部の各外側辺には鋭角状に凹んだ鋭角溝部が形成され、化粧カバーは湾曲可能な弾性材料からなる長尺の面形状に形成され、該化粧カバーの両側辺に沿って内面側に突出した突出部を形成すると共に該突出部の外側辺に沿って鋭角状に突出した鋭角突部が形成され、該化粧カバーの両側の各係止突部をカバー本体の両側の溝部に嵌合した際、化粧カバーの反発力によって該化粧カバーの両側の各鋭角突部がカバー本体の両側の各鋭角溝部に係止されることを特徴とする。
【００１３】
また、本発明による請求項２のコーナーガード材ユニットは、請求項１において、カバー本体の両側部の内側に長尺方向に沿う段差を設け、該段差に壁材の端部を嵌め込むようにしたことを特徴とする。
【００１４】
また、本発明による請求項３のコーナーガード材ユニットは、請求項１又は２において、カバー本体の二辺間の角部に形成された湾曲形状の表面に凹面を形成し、該凹面と化粧カバーの内側面との間に空間を形成したことを特徴とする。
【００１５】
また、本発明による請求項４のコーナーガード材ユニットは、請求項１又は２において、カバー本体の二辺間の角部に形成された湾曲形状の表面に凹面を形成すると共に、化粧カバーの内側面にも凹面を形成することにより、該凹面と化粧カバーの内側面との間に二段状の空間を形成したことを特徴とする。
【００１６】
さらに、本発明による請求項５のコーナーガード材ユニットは、請求項１又は２において、カバー本体の両端部に設けた壁材の表面にクロス材を張り付けると共に、該クロス材の端部をカバー本体の溝部に埋め込んだ状態で該溝部に化粧カバーの突出部を嵌合するようにしたことを特徴とする。
【００１７】
また、本発明による請求項６のコーナーガード材ユニットは、建物のコーナー部に固定したカバー本体と該カバー本体に取り付けた化粧カバーとからなるコーナーガード材ユニットにおいて、カバー本体は、コーナー部の下地の角部に取付ける断面Ｌ字形の二辺の両端部に断面コ字形の嵌合凹部が形成されてなり、化粧カバーは、弾性を有する湾曲状のカバー面がカバー本体の二辺を空間をあけて覆うように形成されると共に、該化粧カバーの両端部が外側へ断面Ｌ字形に屈曲されることによって形成された屈曲端部がカバー本体の嵌合凹部に嵌合されてなることを特徴とする。
【００１８】
また、本発明による請求項７のコーナーガード材ユニットは、請求項６において、カバー本体の断面Ｌ字形の二辺の中心の角部が弾性復帰可能な軟質材料から形成される一方、カバー本体のその他の部分が硬質材料から形成されていることを特徴とする。
【００１９】
また、本発明による請求項８のコーナーガード材ユニットは、請求項６において、化粧カバーは、断面Ｌ字形の屈曲端部が硬質材料から形成される一方、化粧カバーの湾曲状のカバー面が弾性復帰可能な軟質材料から形成されていることを特徴とする。
【００２０】
さらに、本発明による請求項９のコーナーガード材ユニットは、請求項６、７又は８において、カバー本体の二辺における各嵌合凹部の近傍には外方へ向けて突出した突出片が形成され、各突出片には各嵌合凹部の方向に沿って湾曲した円弧面が形成されたことにより、化粧カバーの両側の屈曲端部をカバー本体の嵌合凹部に挿入する際に該屈曲端部を突出片の円弧面に滑らせて挿入し、且つ化粧カバーの両側の屈曲端部をカバー本体の嵌合凹部に挿入した状態の動きを突出片で規制するようにしたことを特徴とする。
【発明の効果】
【００２１】
本発明のコーナーガード材ユニットによれば、湾曲可能な弾性を有する化粧カバーを両側から圧迫することによってカバー面を所定幅に湾曲変形することができる。そして、化粧カバーの両側辺に設けられた突出部を建物のコーナー部に固定したカバー本体の両側の溝部に押し込むだけで、その後は化粧カバーの反発力によって該化粧カバーの両側の各鋭角突部がカバー本体の両側の各鋭角溝部に係止された固定状態となる。従って、この化粧カバーを取り付ける作業は容易であり、作業者の熟練性が要求されることなく、迅速に遂行することが可能となる。
【００２２】
また、カバー本体の湾曲形状に形成された凹面と化粧カバーの内側面との間に空間が形成されるため、化粧カバーの外側から幼児等が衝突した場合でも、化粧カバーが内側の空間内に変形して吸収され、衝突時の衝撃を緩和することが可能となる。
【００２３】
また、上記の化粧カバーをカバー本体に着脱自在に取り付けることが可能であるため、化粧カバーが汚れたり、劣化した場合には、この化粧カバーを取り外して容易に交換することが可能となる。
【００２４】
さらに、カバー本体の両側部の内側に長尺方向に沿って形成された段差に壁材を構成するプラスターボード等の壁材の端部を嵌め込んで固定する際、段差が壁材の定規として機能し、壁材を容易且つ綺麗に取り付けることが可能となる。また、カバー本体の両側部の段差に壁材の端部を嵌め込んで固定した構成とすることによって、壁材の表面から外方へ突出する量が最小となり、コーナー部の近傍を歩行する者等が化粧カバーに衝突し難くなる。
【００２５】
また、カバー本体の二辺間の湾曲形状の表面に凹面を形成すると共に、化粧カバーの内側面にも凹面を形成することにより、該凹面と化粧カバーの内側面との間に二段状の空間を形成した構成とすることができる。このような構成により、空間の奥行きが増大するため、化粧カバーの外側から人等が衝突した際の衝撃を一層緩和することが可能となる。
【００２６】
さらに、カバー本体の両端部に設けた壁材の表面にクロス材を張り付けると共に、クロス材の端部をカバー本体の溝部に埋め込んだ状態で該溝部に化粧カバーの突出部を嵌合することにより、クロス材を張った壁のコーナー部の外観が化粧カバーだけ露呈した状態となり、意匠的にも綺麗な収まりとすることが可能となる。
【００２７】
また、本発明によるコーナーガード材ユニットにおいて、化粧カバーは、弾性を有する湾曲状のカバー面がカバー本体の二辺を空間をあけて覆うように形成されると共に、該化粧カバーの両端部が外側へ断面Ｌ字形に屈曲されることによって形成された屈曲端部がカバー本体の嵌合凹部に嵌合されてなる構成とすることが可能である。
【００２８】
この化粧カバーを建物のコーナー部に固定したカバー本体に取り付けると、弾性を有する化粧カバーがその内部に空間を有する状態で弾性変形することが可能であるため、化粧カバーの外側から人等が衝突した際の衝撃を緩和することができる。さらに、化粧カバーのカバー面を軟質材料で構成した場合に、化粧カバーに人等が衝突した際、その衝撃を非常に柔らかく受けとめることによって怪我等の発生を極力防止することが可能となる。
【図面の簡単な説明】
【００２９】
【図１】本発明の実施例１におけるコーナーガード材ユニットをコーナー部に取り付けた状態を示す斜視図である。
【図２】(ａ)は本発明の実施例１におけるコーナーガード材ユニットのカバー本体を示す端面図であり、(ｂ)は化粧カバーを示す端面図である。
【図３】（ａ）は本発明の実施例１におけるコーナーガード材ユニットをコーナー部に取り付けた状態を示す断面図であり、(ｂ)は化粧カバーを変形する際の説明図である。
【図４】本発明の実施例２におけるコーナーガード材ユニットをコーナー部に取り付けた状態を示す斜視図である。
【図５】(ａ)は本発明の実施例２におけるコーナーガード材ユニットのカバー本体を示す端面図であり、(ｂ)は化粧カバーを示す端面図である。
【図６】（ａ）は本発明の実施例２におけるコーナーガード材ユニットをコーナー部に取り付けた状態を示す断面図であり、(ｂ)は化粧カバーを変形する際の説明図である。
【図７】本発明の実施例３におけるコーナーガード材ユニットをコーナー部に取り付けた状態を示す斜視図である。
【図８】(ａ)は本発明の実施例３におけるコーナーガード材ユニットのカバー本体を示す端面図であり、(ｂ)は化粧カバーを示す端面図である。
【図９】（ａ）は本発明の実施例３におけるコーナーガード材ユニットをコーナー部に取り付けた状態を示す断面図であり、(ｂ)は化粧カバーを変形する際の説明図である。
【図１０】本発明の実施例４におけるコーナーガード材ユニットをコーナー部に取り付けた状態を示す斜視図である。
【図１１】(ａ)は本発明の実施例４におけるコーナーガード材ユニットのカバー本体を示す端面図であり、(ｂ)は化粧カバーを示す端面図である。
【図１２】（ａ）は本発明の実施例４におけるコーナーガード材ユニットをコーナー部に取り付けた状態を示す断面図であり、(ｂ)は化粧カバーを変形する際の説明図である。
【図１３】（ａ）は本発明の実施例５におけるコーナーガード材ユニットをコーナー部に取り付けた状態を示す断面図であり、(ｂ)はカバー本体の断面図であり、(ｃ)は化粧カバーの断面図である。
【発明を実施するための形態】
【００３０】
以下、本発明の実施例について図面を参照しながら説明する。
【実施例１】
【００３１】
本発明による実施例１は、図１に示すように、カバー本体２と化粧カバー３とからなるコーナーガード材ユニット１を建物の室内や廊下等のコーナー部の下地材１６に先付けで取り付けるようにしたものである。
【００３２】
本実施例のコーナーガード材ユニット１について説明すると、図２（ａ）に示すカバー本体２は、硬質発泡樹脂又は軟質発泡樹脂等から形成され、図１に示すように、断面Ｌ字形の二辺間における角部の外側に湾曲形状４を形成した長尺の部材から構成されている。また、カバー本体２の内側の隅部には凹部２ａが形成され、この凹部２ａが、図３（ａ）に示す下地材１６の角部１６ａに対する逃げ部として機能するようにしている。
【００３３】
また、図１に示すように、カバー本体２の二辺の各表側面には長尺方向に沿って溝部５ａ、５ｂが形成され、図２（ａ）に示すように、夫々の溝部５ａ、５ｂの各外側辺には鋭角状に凹んだ鋭角溝部６ａ、６ｂが形成されている。また、カバー本体２の二辺間の湾曲形状４の表面には凹面７が形成されている。
【００３４】
さらに、図２（ａ）に示すように、カバー本体２の両側部の内側に長尺方向に沿う段差９ａ、９ｂが設けられ、図３（ａ）に示すように、夫々の段差９ａ、９ｂに壁材を構成するプラスターボード等の壁材１０の端部を嵌め込むようにしている。
【００３５】
一方、化粧カバー３は、図２(ｂ)に示すように、合成ゴム、軟質塩化ビニル又はエラストマー等の軟質性を有すると共に、湾曲可能な弾性材料を用いて長尺のカバー面３ａを有する形状に形成されている。また、この化粧カバー３の両側辺に沿って内面側に突出した突出部１１ａ、１１ｂを形成すると共に、該突出部１１ａ、１１ｂの外側辺に沿って鋭角状に突出した鋭角突部１２ａ、１２ｂが形成されている。
【００３６】
上記のように構成されたコーナーガード材ユニット１を建物の室内や廊下等のコーナー部に取り付けるには、図３（ａ）に示すように、予めコーナー部に取り付けた下地材１６の角部１６ａを挟む二辺に、まず上記のカバー本体２を取付ける。その取り付け方法としては、カバー本体２の二辺の各表側面に形成した長尺の溝部５ａ、５ｂを介して長ネジ１３を下地材１６に捻じ込むことによって固定する。
【００３７】
このようなカバー本体２の取り付け状態において、カバー本体２の内側の角部に形成された凹部２ａが下地材１６の角部１６ａに対する逃げ部として機能するため、下地材１６の角部１６ａの変形等にも対応して正確に取付けることが可能となる。
【００３８】
また、本実施例では、上記のように下地材１６の角部二辺に対して、まずカバー本体２を先付けし、図３（ａ）に示すように、カバー本体２の両側部の内側に長尺方向に沿って形成された段差９ａ、９ｂに壁材を構成する壁材１０の端部を嵌め込んで固定する。この際、段差９ａ、９ｂが壁材１０の定規として機能し、壁材１０を容易且つ綺麗に取り付けることが可能となる。
【００３９】
さらに、上記のように、カバー本体２の両側部の段差９ａ、９ｂに壁材１０の端部を嵌め込んで固定した構成とすることによって、壁材１０の表面から外方へ突出する量が最小となり、コーナー部の近傍を歩行する者等が化粧カバー３に衝突し難くなる。
【００４０】
このような化粧カバー３の取付け作業を容易に行うには、上記のように化粧カバー３の両側の各鋭角突部１２ａ、１２ｂがカバー本体２の両側の各鋭角溝部６ａ、６ｂに食い込んで係止された状態において、溝部５ａ、５ｂの内側に隙間１４ができる余地を形成するとよい。これによって、化粧カバー３の両側の突出部１１ａ、１１ｂをカバー本体２の両側の各溝部５ａ、５ｂに対して容易に挿着することが可能となる。
【００４１】
次いで、図３(ｂ)に示すように、化粧カバー３のカバー面３ａを矢印で示すように内側に湾曲変形することによって幅を狭くし、この状態で化粧カバー３の両側の各突出部１１ａ、１１ｂをカバー本体２の両側の溝部５ａ、５ｂに嵌め込むと、化粧カバー３の反発力によって該化粧カバー３のカバー面３ａが元の形状に復帰することによって、化粧カバー３の両側の各鋭角突部１２ａ、１２ｂがカバー本体２の両側の各鋭角溝部６ａ、６ｂに食い込んで係止された状態となる。
【００４２】
また、上記のようにカバー本体２を取り付けた状態において、カバー本体２の二辺間の湾曲形状４に形成された凹面７と化粧カバー３の内側面との間に空間８が形成されるため、化粧カバー３の外側から人等が衝突した場合でも、化粧カバー３が内側の空間８に変形して吸収され、衝突時の衝撃を緩和することが可能となる。
【００４３】
本実施例のコーナーガード材ユニット１は上記のように構成されているため、化粧カバー３をカバー本体２から取り外すには、各溝部５ａ、５ｂの内側に形成された隙間１４を利用して、化粧カバー３の各突出部１１ａ、１１ｂを各溝部５ａ、５ｂの内側に移動することにより、化粧カバー３の各鋭角突部１２ａ、１２ｂがカバー本体２の各鋭角溝部６ａ、６ｂに食い込んだ状態を解除することができ、その状態で容易に外方へ取り出すことができる。
【００４４】
なお、このように化粧カバー３をカバー本体２に対して着脱自在に構成し、化粧カバー３が汚れたり、劣化した場合に、この化粧カバー３を取り外して容易に交換することが可能となる。
【００４５】
さらに、上記の化粧カバー３は、木目調に着色する他、幼稚園等の雰囲気にふさわしい着色とすることも可能であり、上記のように容易に取替え可能とすることによって、季節や部屋の用途等に応じて交換することが可能である。
【００４６】
なお、この実施例のコーナーガード材ユニット１において、化粧カバー３の両側の突出部１１ａ、１１ｂをカバー本体２の両側の溝部５ａ、５ｂに嵌め込む際、両者を接着剤で固定することも可能である。
【００４７】
また、図１に示すように、幼稚園等において、コーナー部に取り付けたコーナーガード材ユニット１の化粧カバー３を床に近い部位に取付けた場合、幼稚園児や学童等の身長を考慮すれば、上方に化粧カバー３は不必要となる。この場合、カバー本体２に形成された上方の溝部５ａ、５ｂが露呈するが、この溝部５ａ、５ｂに化粧カバー３の突出部１１ａ、１１ｂのみを単独で取り付け、接着剤等で固定することによって、カバー本体２の表面の外観を良好にすることが可能となる。
【実施例２】
【００４８】
本実施例は、図４に示すように、カバー本体２と化粧カバー３とからなるコーナーガード材ユニット１を建物の室内や廊下等のコーナー部の下地材１６に後付けで取り付けるようにしたものである。
【００４９】
このような構成において、コーナーガード材ユニット１を構成する化粧カバー３は、図５(ｂ)に示すように、実施例１と同様に構成されているため説明を省略する。
【００５０】
また、図５（ａ）に示すカバー本体２の構成もまた、実施例１と略同様である。ただし、本実施例のカバー本体２は、実施例１のカバー本体２の両側部の内側に段差９ａ、９ｂを形成することなく、カバー本体２の両端部の内側が平坦形状に形成されている。
【００５１】
従って、本実施例のコーナーガード材ユニット１をコーナー部に取り付ける場合、図６（ａ）に示すように、下地材１６の角部二辺に対して壁材１０を取付け、その後に壁材１０の端部の上面にカバー本体２の平坦な内側面を当接し、カバー本体２の各溝部５ａ、５ｂを介して長ネジ１３を下地材１６に捻じ込むことによって固定する。
【００５２】
次いで、実施例１と同様に、図６(b)に示すように、化粧カバー３の面形状を矢印で示すように内側に湾曲変形して幅を狭くし、この状態で化粧カバー３の両側の各突出部１１ａ、１１ｂをカバー本体２の両側の溝部５ａ、５ｂに嵌め込む。このような操作により、化粧カバー３の反発力によって該化粧カバー３のカバー面３ａが復元し、化粧カバー３の両側の各鋭角突部１２ａ、１２ｂがカバー本体２の両側の各鋭角溝部６ａ、６ｂに食い込んで係止された状態となる。
【００５３】
また、上記のようにカバー本体２を取り付けた状態において、カバー本体２の二辺間の湾曲形状４に形成された凹面７と化粧カバー３の内側面との間に空間８が形成されるため、化粧カバー３の外側から人等が衝突した場合でも、化粧カバー３が内側の空間８に変形して吸収され、衝突時の衝撃を緩和することが可能となる。
【００５４】
上記の構成において、図４に示すように、化粧カバー３をカバー本体２の上部まで取り付けることも可能である。また、本実施例は、下地材１６の角部二辺に固定した壁材１０の上面にカバー本体２を当てて固定してあるため、コーナー部においてカバー本体２と化粧カバー３の厚さが突出したものとなる。このため、コーナー部において、カバー本体２と化粧カバー３の上端にカバー本体２と化粧カバー３を組み合わせた形状のキャップ部材１５を接着剤等で固定するようにしても良い。
【実施例３】
【００５５】
本実施例のコーナーガード材ユニット１は、実施例２と同様に、カバー本体２と化粧カバー３とからなるコーナーガード材ユニット１を建物の室内や廊下等のコーナー部の下地材１６に後付けで取り付けるようにしたものである。
【００５６】
従って、図７〜図９に示すように、本実施例のコーナーガード材ユニット１を構成するカバー本体２と化粧カバー３共に、実施例２と同様の構成を有する。ただし、本実施例は、実施例２の構成において、カバー本体２の二辺間の湾曲形状４の表面に凹面７を形成すると共に、化粧カバー３の内側面にも凹面７ａを形成することにより、図９（ａ）に示すように、化粧カバー３の内側に二段状の空間８を形成した構成としている。
【００５７】
このような構成により、カバー本体２の二辺間の湾曲形状４に形成された凹面７と化粧カバー３の内側の凹面７ａとで形成された空間８の奥行きが増大するため、化粧カバー３の外側から人等が衝突した場合における衝突に対する緩和性能が実施例１又は２の場合よりも増大するものとなる。
【実施例４】
【００５８】
本実施例のコーナーガード材ユニット１を構成するカバー本体２は、実施例１〜３と同様に、硬質発泡樹脂又は軟質発泡樹脂等を用いて形成され、図１１（ａ）に示すように断面Ｌ字形の二辺間における角部の外側に湾曲形状４を形成した長尺部材として構成されている。また、カバー本体２の内側の隅部には、図１２(ａ)に示すように、下地材１６の角部１６ａに対する逃げ部として機能する凹部２ａが形成されている。
【００５９】
さらに、図１１（ａ）に示すように、カバー本体２の二辺の各表側面には長尺方向に沿って溝部５ａ、５ｂが形成され、夫々の溝部５ａ、５ｂの各外側辺には鋭角状に凹んだ鋭角溝部６ａ、６ｂが形成されている。
【００６０】
また、本実施例の化粧カバー３は、実施例１〜３と同様に、図１１(ｂ)に示すように、合成ゴム、軟質塩化ビニル又はエラストマー等のように、軟質性を有すると共に湾曲可能な弾性材料を用いて長尺のカバー面３ａを形成する。そして、そのカバー面３ａの両側辺に沿って内面側に突出した突出部１１ａ、１１ｂを形成し、該突出部１１ａ、１１ｂの外側辺に沿って鋭角状に突出した鋭角突部１２ａ、１２ｂを形成している。
【００６１】
従って、本実施例のカバー本体２と化粧カバー３は、実施例１〜３と略同様に構成されているが、図１１(ａ)、(ｂ)に示すように、実施例１〜３に比較して、本実施例のカバー本体２の厚さＷが厚く形成されると共に、本実施例のカバー本体２に形成された両側面の溝部５ａ、５ｂの深さＤが深く形成され、さらに化粧カバー３に形成された突出部１１ａ、１１ｂの高さＨが高く形成されている。
【００６２】
また、本実施例のカバー本体２の両端部は、端面２ｂを形成すると共に各端面２ｂの外側の角部に切欠き部２ｃを形成し、図１２に示すように各切欠き部２ｃにパテを埋め込むようにしている。
【００６３】
さらに、上記の構成において、本実施例のカバー本体２の角部の湾曲形状４の表面には、実施例１〜３に形成した凹面７を形成せず、カバー本体２の両側の溝部５ａ、５ｂに化粧カバー３の突出部１１ａ、１１ｂを嵌合した際に、カバー本体２の湾曲形状４の表面と化粧カバー３のカバー面３ａとの間に空間８ができるように、化粧カバー３の突出部１１ａ、１１ｂの高さＨをカバー本体２の溝部５の深さＤよりも大きくなるように調整している。
【００６４】
また、カバー本体２の両側の溝部５ａ、５ｂに化粧カバー３の突出部１１ａ、１１ｂを嵌合した際、溝部５ａ、５ｂに生じる隙間１４が実施例１〜３の隙間１４に比べてやや大なる余地を有するように構成されている。
【００６５】
上記の構成により、図１２（ａ）に示すように、予めコーナー部に取り付けた下地材１６の角部１６ａを挟む二辺にカバー本体２を取付け、カバー本体２の両側の溝部５ａ、５ｂを介して長ネジ１３を下地材１６に捻じ込むことによって固定する。
【００６６】
次いで、カバー本体２の両側の端面２ｂ、２ｂにプラスターボード等の壁材１０、１０の端面を突合せ状態で固定する。そして、夫々の壁材１０の表面にクロス材１７を張り付けると共に、夫々のクロス材１７の端部１７ａをカバー本体２の溝部５ａ、５ｂに埋め込んだ状態にして接着剤等で接着し、該溝部５ａ、５ｂに化粧カバー３の突出部１１ａ、１１ｂを嵌合する。
【００６７】
この際、図１２(b)に示すように、化粧カバー３の面形状を矢印で示すように内側に湾曲変形し、化粧カバー３の両側の各突出部１１ａ、１１ｂをカバー本体２の両側の溝部５ａ、５ｂに嵌め込む。このような操作により、化粧カバー３の反発力によって該化粧カバー３のカバー面３ａが復元し、化粧カバー３の両側の各鋭角突部１２ａ、１２ｂがカバー本体２の両側の各鋭角溝部６ａ、６ｂに食い込んで係止された状態となる。
【００６８】
上記の本実施例によって、図１０に示すように、クロス材１７を張った壁のコーナー部の外観が化粧カバー３だけ露呈した状態となり、意匠的にも綺麗な収まりとすることが可能となる。
【実施例５】
【００６９】
本実施例のコーナーガード材ユニット１を構成するカバー本体２は、図１３（ａ）又は(ｂ)に示すように、コーナー部の下地材１６の角部に沿って取付ける断面Ｌ字形の二辺２ｄ、２ｄの両端部に断面コ字形の嵌合凹部１８、１８が形成された構成とされている。
【００７０】
また、本実施例のコーナーガード材ユニット１を構成する化粧カバー３は、図１３（ａ）又は(ｃ)に示すように、弾性を有する湾曲状のカバー面３ａがカバー本体２の二辺２ｄ、２ｄを空間８をあけて覆うように形成されると共に、該化粧カバー３の両端部が外側へ断面Ｌ字形に屈曲されることによって形成された屈曲端部１９、１９がカバー本体２の嵌合凹部１８、１８に嵌合される構成としている。
【００７１】
このような構成において、カバー本体２の断面Ｌ字形の二辺２ｄ、２ｄの中心の角部２０が弾性復帰可能な軟質発泡樹脂等の軟質材料から形成される一方、カバー本体のその他の部分である二辺２ｄ、２eが硬質発泡樹脂等の硬質材料から形成されている。
【００７２】
また、化粧カバー３は、断面Ｌ字形の屈曲端部１９、１９が硬質材料から形成される一方、化粧カバー３の湾曲状のカバー面３ａが弾性復帰可能な軟質材料から形成されている。
【００７３】
このような構成により、化粧カバー３を図１３(ｃ)に示すように矢印２２で示す屈曲方向へ折り曲げ、図１３(ａ)に示すように、化粧カバー３の両端の屈曲端部１９、１９をカバー本体２の嵌合凹部１８、１８へ挿着することにより、建物のコーナー部に固定したカバー本体２に取り付ける。この際、壁材１０の表面にクロス材１７を張る場合、クロス材の端部１７ａをカバー本体２の各嵌合凹部１８の先端の形状に沿って回し込んだ状態として化粧カバー３を取り付けるようにする。
【００７４】
上記の状態において、弾性を有する化粧カバー３がその内部に空間８を有する状態で弾性変形することが可能であるため、化粧カバー３の外側から人等が衝突した際の衝撃を緩和することが可能となる。さらに、化粧カバー３のカバー面３ａを軟質材料で構成した場合に、化粧カバー３に人等が衝突した際、その衝撃を非常に柔らかく受けとめることによって怪我等の発生を極力防止することが可能となる。
【００７５】
さらに、上記の構成において、カバー本体２の二辺２ｄ、２ｄにおける各嵌合凹部１８、１８の近傍には外方へ向けて突出した突出片２１、２１が形成され、各突出片２１には各嵌合凹部１８の方向に沿って湾曲した円弧面２１ａが形成された構成としている。
【００７６】
このような構成により、化粧カバー３の両側の屈曲端部１９、１９をカバー本体２の嵌合凹部１８、１８に挿入する際に該屈曲端部１９、１９を各突出片２１、２１の円弧面２１ａ、２１ａに滑らせて挿入し、且つ化粧カバー３の両側の屈曲端部１９、１９をカバー本体２の嵌合凹部１８、１８に挿入した状態の動きを突出片で規制することが可能となる。これによって、化粧カバー３の屈曲端部１９、１９をカバー本体２の嵌合凹部１８、１８に嵌合した状態をガタツキの少ない状態で保持することが可能となる。
【産業上の利用可能性】
【００７７】
本発明のコーナーガード材ユニットは、幼稚園や保育園等の室内や廊下等のコーナー部に容易に取り付けることができ、しかも幼児等の頭部や身体を万全に保護することができるコーナーガード材ユニットとして利用することが可能である。
【符号の説明】
【００７８】
１  コーナーガード材ユニット
２  カバー本体
２ａ  凹部
２ｂ  端面
２ｃ  切欠き部
２ｄ  カバー本体の二辺
３  化粧カバー
３ａ  カバー面
４  湾曲形状
５ａ、５ｂ  溝部
６ａ、６ｂ  鋭角溝部
７  カバー本体側の凹面
７ａ  化粧カバー側の凹面
８  空間
９ａ、９ｂ  段差
１０  壁材
１１ａ、１１ｂ  突出部
１２ａ、１２ｂ  鋭角突部
１３  長ネジ
１４  隙間
１５  キャップ部材
１６  下地材
１６ａ  角部
１７  クロス材
１７ａ  クロス材の端部
１８  嵌合凹部
１９  屈曲端部
２０  カバー本体の中心の角部
２１  突出片
２１ａ  円弧面
２２  屈曲方向
Ｄ  カバー本体の溝部の深さ
Ｈ  化粧カバーの突出部の高さ
Ｗ  カバー本体の厚さ
【図１】
2013217183.tif 000003
【図２】
2013217183.tif 000004
【図３】
2013217183.tif 000005
【図４】
2013217183.tif 000006
【図５】
2013217183.tif 000007
【図６】
2013217183.tif 000008
【図７】
2013217183.tif 000009
【図８】
2013217183.tif 000010
【図９】
2013217183.tif 000011
【図１０】
2013217183.tif 000012
【図１１】
2013217183.tif 000013
【図１２】
2013217183.tif 000014
【図１３】
2013217183.tif 000015